(57)【要約】【目的】地点間の距離を精度良く求めると共に、この正確な距離に基づいて所定の計算方法に従って料金を算定し得るようにする。この料金には出張料金、交通費、また特に按摩マッサージ指圧師がレセプトに記入する往療料など幅広い分野のものが想定されている。【構成】位置情報を受信し、この位置情報を基に地点間の距離を割り出し、この距離を基に所定の計算方法に従って料金を算出するようにする。または事前に位置情報を受け取りこれに一意な名前を振って記憶しておき、前記名前を受信しこの名前を基にして地点間の距離を割り出し、この距離を基に所定の計算方法に従って料金を算出する。【選択図】　　　図１
2004005594.tif 000002
【特許請求の範囲】
【請求項１】
位置情報を取得し、この位置情報を基にして地点間の距離を割り出し、この距離を基に所定の計算方法に従って料金を算出することを特徴とする、距離に係る料金算定方法。
【請求項２】
事前に位置情報を受け取りこれに一意な名前を振って記憶しておき、前記名前を取得しこの名前を基にして地点間の距離を割り出し、この距離を基に所定の計算方法に従って料金を算出することを特徴とする、距離に係る料金算定方法。
【請求項３】
前記位置情報は、端末が備えるＧＰＳからのものである、請求項１または請求項２に記載の距離に係る料金算定方法。
【請求項４】
前記位置情報は、電話局から送信されて来る端末の現在位置情報である、請求項１または請求項２に記載の距離に係る料金算定方法。
【請求項５】
前記位置情報は、画面に表示した地図上の一点を指示することによって取得出来るようにした、請求項１または請求項２に記載の距離に係る料金算定方法。
【請求項６】
ＷＷＷブラウザを備えた端末に対して入力画面を送信し、この入力画面に於けるスイッチ操作をトリガーとして前記位置情報を得る、請求項１または請求項２に記載の距離に係る料金算定方法。
【請求項７】
入力プログラム用のプラットホームを備えた端末での前記入力プログラムに於けるスイッチ操作をトリガーとして前記位置情報を得る、請求項１または請求項２に記載の距離に係る料金算定方法。
【請求項８】
取得した位置情報を元にして、この位置を含むエリアの地図を画面上に表示するようにした、請求項１または請求項２に記載の距離に係る料金算定方法。
【請求項９】
受信部により位置情報を受信し、この位置情報を基に処理部で地点間の距離を割り出すと共に、この距離を基に所定の計算方法に従って料金を算出することを特徴とする、距離に係る料金算定システム。
【請求項１０】
事前に受信部により位置情報を受信し、これに一意な名前を振って記録部に記憶しておき、前記受信部により前記名前を受信し、処理部はこの名前に対応する位置情報を前記記録部から読み出して地点間の距離を割り出すと共に、この距離を基に所定の計算方法に従って料金を算出することを特徴とする、距離に係る料金算定システム。
【請求項１１】
前記位置情報は端末が備えるＧＰＳからのものである、請求項９または請求項１０に記載の距離に係る料金算定システム。
【請求項１２】
前記位置情報は電話局から送信されて来る端末の現在位置情報である、請求項９または請求項１０に記載の距離に係る料金算定システム。
【請求項１３】
前記位置情報は画面に表示した地図上の一点を指示した時に得られるようにしたものである、請求項９または請求項１０に記載の距離に係る料金算定システム。
【請求項１４】
ＷＷＷサーバを備え、このＷＷＷサーバからＷＷＷブラウザを備えた端末に対して入力画面を送信し、前記処理部はこの入力画面に於けるスイッチ操作をトリガーとして前記位置情報を得る、請求項９または請求項１０に記載の距離に係る料金算定システム。
【請求項１５】
前記処理部は、入力プログラム用のプラットホームを備えた端末での前記入力プログラムに於けるスイッチ操作によって送信された信号を受信し、この信号をトリガーとして前記位置情報を得る、請求項９または請求項１０に記載の距離に係る料金算定システム。
【請求項１６】
表示画面を備え、取得した位置情報を元にして、この位置を含むエリアの地図を前記表示画面上に表示するようにした、請求項９または請求項１０に記載の距離に係る料金算定システム。
【請求項１７】
取得した位置情報に一意な名前を振って、コンピュータの記憶部に記録可能とした、位置情報テーブル。
【請求項１８】
指定した位置を含むエリアの地図を呼び出すためのマップコードを有する、請求項１７に記載の位置情報テーブル。
【発明の詳細な説明】
【０００１】
【発明の属する技術分野】
この発明は、位置情報を利用して地点間の距離を割り出し、この距離を基に所定の計算方法に従って料金を算定する、距離に係る料金算定方法及び距離に係る料金算定システムに関する。またこの位置情報テーブルに関する。なお前記料金とは、前記端末が位置する地点に係る交通費や出張費などのことである。
【０００２】
【従来の技術】
区間毎に定められている電車運賃表やタクシー領収証に基づいて交通費を算出したり、距離に応じた規定に基づいて出張料金を算出するのは比較的容易な作業である。これに対して例えば按摩マッサージ指圧師がレセプトに記入する往療料の場合、平成１２年６月１日以降では所定料金が１，９００円であり、往療距離が片道２キロメートルを越えた場合は２キロメートル又はその端数を増すごとに所定料金に８００円を加算するものとされている。従来よりこのような計算は、地図を基に手作業で行なわれている。
【０００３】
【発明が解決しようとする課題】
このように往療料を算定しようとすると、往療距離を上記規則に則って正確に割り出さなくてはならないため、従来は患家の位置をその住所を基にして地図上にプロットし、定規を当てて地点間の距離を求めるという、大変な作業を強いられていたのである。このような問題は上記レセプト以外の分野でも生じていたのである。
【０００４】
そこでこの発明は、地点間の距離を精度良く求めると共に、この正確な距離に基づいて所定の計算方法に従って料金を算定し得るようにすることを課題とするものである。
【０００５】
【課題を解決するための手段及び作用】
上記課題は、位置情報を取得し、この位置情報を基にして地点間の距離を割り出し、この距離を基に所定の計算方法に従って料金を算出するようにすることで達成される。位置情報の取得とはどのようなことかと言うと、例えば上の例では往療先にいる施術者が位置情報に係る信号を発信し、それを施術所にて受信することを言う。例えば施術者がＧＰＳ（Ｇｌｏｂａｌ　Ｐｏｓｉｔｉｏｎｉｎｇ　Ｓｙｓｔｅｍ）式の携帯電話を持ち歩いていれば、このＧＰＳで得た経緯度情報を施術所に向けて送信するようにする。また一般的な携帯電話やＰＨＳ（Ｐｅｒｓｏｎａｌ　Ｈａｎｄｙｐｈｏｎｅ　Ｓｙｓｔｅｍ）を持ち歩いているのであれば、施術者がどのセル内にいるかの情報を、施術者側からのトリガーによって施術所が電話会社から受信することを言う。また地図に位置情報をマッピングしておき、画面に表示した地図上の一点を指示することにより、その点の位置情報を得ることを言う。あるいは予め記憶装置に位置情報テーブルとして記録しておいた往療先の位置情報を、往療先名から読み出して使用することも可能である。前記位置情報テーブルは取得した位置情報に一意な名前を振ったものであり、コンピュータの記憶部に記録される。またこの位置情報テーブルに、指定した位置を含むエリアの地図を呼び出すためのマップコードを備えさせるようにすることが出来る。
【０００６】
位置情報に係る信号を発信する端末としては、上述したＧＰＳ装置、携帯電話やＰＨＳ、携帯電話機能を備えたＰＤＡ（Ｐｅｒｓｏｎａｌ　Ｄａｔａ　Ａｓｓｉｓｔａｎｔ）、あるいは往療先である患家に置かれたＬモード（商標である）電話や、ブラウザフォン等を上げることが出来る。位置情報は直接施術者側から発信される場合もあれば、上述したように予め記録しておいた位置情報を、例えば患家や患者名やそれ等に対応する一意の識別番号の連絡を、施術者から自動応答電話などで受けることによって施術所側で位置情報を得るようにする。また例えば施術者が携帯通信端末からトリガーを引くことによって施術所側が電話会社からセル名を取得し、施術者のタイムテーブルから該当する患家の位置情報を得ることが出来る。従って、位置情報に係る信号とは直接的には位置情報であり、間接的には位置情報に一意に変換し得る各種情報のことである。
【０００７】
このようにして、紙に印刷された地図を用いその上にプロットする従来のような手作業をせずとも正確な位置情報が得られ、また定規を当てて地点間の距離を求めるという、従来のような大変な作業をせずとも正確な地点間の距離が自動的に求められるのである。このあとは例えば按摩マッサージ指圧師の往療料の場合では、所定料金が１，９００円であって、往療距離が片道２キロメートルを越えた場合は２キロメートル又はその端数を増すごとに所定料金に８００円を加算するという規則に則り、自動で交通費を算出することが出来るのである。従って、施術者はある患家に到着したらまたは仕事が終了したら、その場で上記位置情報に係る信号を発信すればよく、或いは患家名に係る信号を発信すればよく、後はこの発明によって自動的にレセプトの往療料の計算が為されることに成るから、極めて効率的である。そしてこのような効果は他の分野でも同様に奏される。
【０００８】
なおこの発明は、例えば按摩マッサージ指圧師の往療料の場合のように、２戸以上の患家に対して引き続いて往療した場合の往療順位第２位以降の患家に対する往療距離の計算は、当該施術所の所在地を起点とせず、それぞれ先順位の患家の所在地を起点とするもの、という別の規則を追加適用するような場合にも有効であり、受信した位置情報を基にたちどころに計算することが出来る。なお更に訪問先や、患家の訪問順が出先で変更になったような場合でも、この発明は柔軟に且つ敏速に対応し得る。
【０００９】
またこの発明では位置情報の受信だけでなく、担当者名、訪問先名、現在時刻などを受信し計算処理に利用するようにしてもよい。
【００１０】
次に請求項１または請求項２に記載の発明に於いて、ＷＷＷブラウザを備えた端末に対して入力画面を送信し、この入力画面に於けるスイッチ操作をトリガーとして前記位置情報を得るものとすることが出来る。即ち例えば端末がブラウザフォンであるとすると、これに対して入力画面を送信するが、当該入力画面にはスイッチが表示されておりこれが押されたことをトリガーとするか、または当該ブラウザフォン自体の所定の入力キーが押されたことをトリガーとして、ＤＬＰ（Ｄｏｃｏｍｏ　Ｌｏｃａｔｉｏｎ　Ｐｌａｔｆｏｒｍ）（商標である）等のロケーションサービスから当該端末が現在ある場所の位置情報を得るのである。前記入力画面はＨＴＭＬ文等で記述され、端末により簡単に呼び出される。
【００１１】
請求項１または請求項２に記載の発明に於いて、入力プログラム用のプラットホームを備えた端末での前記入力プログラムに於けるスイッチ操作をトリガーとして前記位置情報を得るものとすることが出来る。例えば前記ブラウザフォンの中にはプラットホームとしてＪＡＶＡ（商標である）のバーチャルマシンが組み込まれているものがある。これを利用すればＪＡＶＡ言語で記述された位置情報送信用のプログラムをネットワーク経由で受信し、例えばブラウザフォン自体の所定の入力キーが押されたことをトリガーとして、位置情報に係る信号を含むところの位置情報をこの発明の料金算定システムに送信させることが出来る。
【００１２】
なおこの発明に於いては、前記位置情報を取得するものとして受信部を、位置情報を基に地点間の距離を割り出すと共に、この距離を基にして所定の計算方法に従って料金を算出するものとして処理部を構成する。位置情報を受信しこれに一意な名前を振って記憶しておくものとしては記録部を構成する。また前記入力画面を提供するものとしてはＷＷＷサーバや、前記入力プログラムを格納しておくためのプログラムサーバを構成する。なお表示画面（ディスプレイ）を備え、取得した位置情報を元にして、記録部に記録されたこの位置情報を含むエリアの地図を読み込んで前記表示画面上に表示するように処理部を構成することが可能である。
【００１３】
【発明の実施の形態】
以下この発明の実施形態の例を図面に基づいて説明するが、この発明はこれ等の実施形態に限定されず、この発明の思想を逸脱しない限りに於いて任意に設計変更することが可能である。
【００１４】
図１乃至図５は第１の実施の形態を表わす。この実施形態の管理サーバ１は、図１のブロック図で表わされているように、通信部１０と処理部１１とから構成されている。通信部１０は電話回線を介して電話局３１に接続し得る。なお電話局３１は携帯電話の複数の基地局３を管理しており、管理サーバ１と携帯電話２とを接続することが出来る。基地局はアンテナ３０を備え、携帯電話２と通話や通信を行なうことが出来る。携帯電話２は通信部２１の他にＧＰＳ２０ユニットを備えている。
【００１５】
図１の管理サーバ１を、ＣＰＵ４を用いて実現した場合のハードウェア構成を図２に示す。ＣＰＵ４は演算に必要なメモリ（ＲＡＭ）を備えている。また記憶装置であるハードディスク（ＨＤＤ）４５、入力装置であるフルキーボード４１や表示装置であるディスプレイ４２、ＣＤ−ＲＯＭドライブ４３が接続されている。前記ハードディスク４５には、オペレーティングシステムＯＳ４６や、処理プログラム４７及び通信プログラム４８が記録されている。これ等のプログラム群はＣＤ−ＲＯＭドライブ４３を介してＣＤ−ＲＯＭ４４からインストールされたものである。特に前記処理プログラム４７は後述するような処理を行なうものである。
【００１６】
さて今、あるマッサージ師がある患家を訪問し、施術を終わったとする。ここで携帯電話２を取り出して表示画面２３を表示させる。これは携帯電話２が備えるソフトウェアが起動された状態を表わしている（図３）。この表示画面２３には「訪問終了通知」の画面が表示されており、さらに時刻表示部２４、位置情報表示部２５、位置情報取得ボタン２６、担当者名選択部２７、患家名選択部２８および送信ボタン２９が表示されている。位置情報取得ボタン２６を押すことによってＧＰＳ２０で位置情報を取得し、位置情報表示部２５にこれを表示する。次にマッサージ師は担当者名選択部２７を開き、自分の名前を探して選択する。なおこの名前はヒストリーに記録されるように成っており、次回にこの携帯電話内蔵ソフトウェアを起動した際にはデフォルトで表示される。次に患家名選択部２８を展開して、今しがた施術を終えた患家の名前を探して選択する。そこで、前記の送信ボタン２９を押すと、自己が所属している施術所の所定の電話番号を呼び出し、接続した後に前記現在時刻、位置情報、担当者名、患家名を送信するのである。これによりマッサージ師はこの患家に対する仕事の終了宣言を行なうわけであり、それをこの患家で行なうことにより、最も重要な位置が正しく確定されることになる。
【００１７】
このようにして送信されて来た現在時刻、位置情報、担当者名、患家名をこの実施形態の管理サーバ側で受信する。この際処理プログラム４７による位置情報の取得手順は図４で示す通りである。即ち携帯電話２側から接続要求があったら（ステップＳ１）、管理サーバ側で管理している携帯電話２からのものか否か、即ち通知電話番号であるか否かを調べて（ステップＳ２）、通知電話番号である場合には現在時刻、位置情報、担当者名、患家名を通信プログラム４８を介して受信し（ステップＳ３）、これ等の情報を前記のハードディスク４５に記録して（ステップＳ４）、携帯電話２との通信を切断する（ステップＳ５）。
【００１８】
次に、任意タイミングではあるが、計算要求がキーボード４１を介して出されると（ステップＳ６）、処理プログラム４７は前記ハードディスク４５からこのマッサージ師に関する位置情報を全て読み出し（ステップＳ７）、後述する規則に則って再配置処理を行なった後（ステップＳ８）、上述のような規則が適用される場合にはその規則に則り計算処理を行ない（ステップＳ９）、結果をハードディスク４５へ書き込んで（ステップＳ１０）、終了する。なおこの計算処理のタイミングであるが、位置情報の取得処理が済む度に行なう、このマッサージ師の１日の仕事が終わったら行なう、などが任意に設定可能である。またこの結果は、ある患家に係るレセプト作成の際にも利用されるが、煩雑と成らないようにこの説明を省略する。
【００１９】
なお再配置処理についてであるが、このマッサージ師がその日に回った順路の通りに患家の位置から次の患家の位置までの距離を計測して足して行ってよいのであれば不要である。しかしながら例えば「計算方法起点と終点とが一致しかつ複数の地点を巡回して戻る場合に、実際にトレースした経路ではなく最短となる経路に組み直す」ことが要請されるような場合には、処理プログラム４７にこの規則に則って計算するように命令しなくてはならないのである。
【００２０】
次に、図６乃至図９は第２の実施の形態を表わす。この実施の形態ではハードディスク４５に患家位置情報テーブル４９を記録する点に特徴を有する。上述した第１実施形態では、マッサージ師がある患家に対する仕事の終了宣言を行なう度に、その患家の位置情報を送信させ、これを受信して計算に利用していたのである。しかしながらこの実施形態では、ある患家が新たな顧客として登録される際に一度、その患家の正確な位置情報を送信させこれを受信して記憶しておき、次からはこの患家の位置情報を受信しない（送信させなくともよい）、という点に特徴を有する。図７はこの登録時の処理プログラム４７での処理過程を示したものであるが、位置情報を受信したら（ステップＳ１１）、これを特定の患家名に対応付けて患家位置情報テーブル４９に記録する（ステップＳ１２）。
【００２１】
この方式の実現のためには、この患家位置情報テーブル４９に於いて位置情報とこの患家とを一対一で結び付けて記録しておき、マッサージ師側からは患家の情報を送ってもらい、それを受信するようにしなくてはならない。即ち携帯電話２側から接続要求があったら（ステップＳ１３）、管理サーバ側で管理している携帯電話２からのものか否か、即ち通知電話番号であるか否かを調べ（ステップＳ１４）、通知電話番号である場合には現在時刻、担当者名、患家名を通信プログラム４８を介して受信し、これ等の情報を前記のハードディスク４５に記録して（ステップＳ１５）、携帯電話２との通信を切断する（ステップＳ１６）。
【００２２】
而して、計算要求がキーボード４１を介して出されたら（ステップＳ１７）、処理プログラム４７はハードディスク４５の患家位置情報テーブル４９を参照して、この患家に一対一で対応する位置情報を全て読み出し（ステップＳ１８）、前述した規則に則って再配置処理を行なった後（ステップＳ１９）、既述の規則が適用される場合にはその規則に則って計算処理を行ない（ステップＳ２０）、結果をハードディスク４５へ書き込んで（ステップＳ２１）、終了する。
【００２３】
このようにすることにより、毎回位置情報を送信しなくてもよいから、ＧＰＳを備えていない携帯電話（ＰＨＳを含む）、通信装置を備えたＰＤＡ、患家宅に設備された電話やＬモード電話などから、施術所に患家名を通知して仕事の終了宣言を行なうようにするこが可能と成る。なお前記患家位置情報テーブル４９の位置情報に一対一対応させ得るものしては、患家名のみならず、マッサージ師がスケジュール通りに動けるものと仮定すればマッサージ師の担当者名や現在時刻が利用し得る。その時刻にその患家で仕事をしている担当者がスケジュール表から分かっているからであり、その時刻か担当者名が分かれば患家が分かり、この患家の位置情報が判明するからである。この場合に最も好ましいのは、患家宅に設備された電話やＬモード（商標である）電話などから、仕事の終了宣言を行なうことである。なおＬモードではこの通知をタッチパネルを利用して手軽に行なうことが可能である。また患家側に訪問施術記録を残すようにしても良い。また患家名（識別番号）、施術の種類、施術箇所などをバーコード一覧表にして患家に預けておき、バーコードリーダと通信装置とを備えたＰＤＡで施術内容に対応するバーコードを読み取って施術所に送信するようにしても良い。
【００２４】
次に、図１０乃至図１４は第３の実施の形態を表わす。この実施形態の特徴は管理サーバがＷＷＷサーバプログラム４００を備えており、図１３で示すＷＷＷページを送信することが出来るようにしている点に存する。この実施形態の管理サーバ１は、図１１のブロック図で表わされているように、通信部１０と処理部１１とＷＷＷサーバ部１２とから構成されている。通信部１０は電話回線を介して電話局３１に接続し得る。なお電話局３１は携帯電話の複数の基地局３を管理しており、管理サーバ１と携帯電話２とを接続することが出来る。基地局はアンテナ３０を備え、携帯電話２と通話や通信を行なうことが出来る。携帯電話２は通信部２１の他にＷＷＷブラウザ２００を備えたブラウザフォンである。
【００２５】
一方、管理サーバ１と携帯電話２とは電話局３１を介してインターネット接続し得るように成っているいる。管理サーバ１にはＷＷＷサーバ部１２が備わっており、携帯電話２（ここではＰＨＳである）にはＷＷＷブラウザ２００が備わっており、インターネットを介して両者は接続し合うことが出来る。
【００２６】
先ず、携帯電話２側から接続要求があったら（ステップＳ２２）、管理サーバ側で管理している携帯電話２からのものか否か、即ち通知電話番号であるか否かを調べ（ステップＳ２３）、通知電話番号である場合には所定のＷＷＷページを送信して（ステップＳ２４）、通信を切断する（ステップＳ２５）。この場合に送信されるのが図１３の左図で表わした表示画面２３に表示されたものであり、時刻表示部２４、セル情報表示部２０１、位置情報取得ボタン２６、担当者名選択部２７、患家名選択部２８および送信ボタン２９が表示されている。
【００２７】
位置情報取得ボタン２６を押すことによって電話局３１に位置情報を要求すると、図１４で示すように電話局３１はこの携帯電話２（ＰＨＳ）が位置しているセル情報を携帯電話２に通知して来るので、これがセル情報表示部２０１に表示される。次にマッサージ師は担当者名選択部２７を開いて、自分の名前を探して選択する。次に患家名選択部２８を展開して、今しがた施術を終えた患家の名前を探して選択する。そこで前記の送信ボタン２９を押すと、これ等の情報は所謂フォームメールとして管理サーバ１へ送信して来るので、管理サーバ１側ではこれを受信すると共に、患家名から住所を引き出し、セル情報から患家がある地域の地図を図示しない地図サーバから読み出して患家の位置を合成し、担当者名や終了時間と共に表示するためのＷＷＷページを生成し、インターネットを介して携帯電話２に送信する。これが携帯電話１側の表示画面２３に表示された状態を図１３の右図で表わす。これによりマッサージ師側も仕事の終了を確認することが出来るが、もしも表示画面２３の表示に不審な点があればＰｈｏｎｅｔｏタグにより表示される電話通信ボタン２０２を押すことで、施術所（本部）と電話で確認を取り合うことが出来るので便利である。
【００２８】
次に、図１５乃至図１７は第４の実施の形態を表わす。この実施形態の特徴はマッサージ師の携帯電話２の表示画面２３や、管理サーバ側の表示部１３に地図を表示することにある。なおそれ以外の詳細に付いては第１実施形態に倣うものである。携帯電話２の側に於いて、位置情報取得ボタン２６を押すことによってＧＰＳ２０で位置情報を取得し、位置情報表示部２５にこれを表示すると共に、その位置に対応する地図を地図表示部２０３として表示画面２３上に表示する。従ってマッサージ師は表示された地図で現在位置を確認することが出来、誤った患家名を送信する心配がなくなる。
【００２９】
また管理サーバ側に於いては、第１に携帯電話２の側から接続要求があったら（ステップＳ２６）、管理サーバ側で管理している携帯電話２からのものか否か即ち通知電話番号であるか否かを調べて（ステップＳ２７）、通知電話番号である場合には現在時刻、位置情報、担当者名、患家名を通信プログラム４８を介して受信し（ステップＳ２８）、これ等の情報を前記のハードディスク４５に記録して（ステップＳ２９）、前記位置情報に該当するエリアの地図をディスプレイ４２に表示し（ステップＳ３０）、携帯電話２との通信を切断する（ステップＳ３１）。従って管理サーバ側ではマッサージ師が送信して来た位置情報を地図化して確認することが出来る。第２に、計算要求が出されて上述した再配置処理を行なった後に、各患家に係る地図を再配置された状態でディスプレイ４２に表示する。このように地図を利用することによって、巡回の様子を視覚化して分かりやすくすることが可能である。
【００３０】
次に、図１８及び図１９は第５の実施の形態を表わす。上述した第１実施形態では、マッサージ師がある患家に対する仕事の終了宣言を行なう度に、その患家の位置情報を送信させ、これを受信して計算に利用していた。また第２実施形態では、ある患家が新たな顧客として登録される際に一度、その患家の正確な位置情報を送信させこれを受信して記憶しておき、次からはこの患家の位置情報を読み出して計算に利用していた。この実施形態では、第２実施形態と同様、ハードディスク４５に患家位置情報テーブル４９を記録するが、位置情報の取得に特徴を有する。
【００３１】
図１８は位置情報の取得登録時の処理プログラムでの処理フローを示したものであるが、予め位置情報をマッピングした全体地図を用意しておき、キーボード４１から患家の住所を入力させ（ステップＳ３２）、その住所付近の地図を前記全体地図から読み出して画面に表示し（ステップＳ３３）、その地図上の一点をマウス（図示せず）で指示させることによって（ステップＳ３４）、その地点の位置情報を地図から取得し（ステップＳ３５）、これを前記患家名に対応付けて位置情報テーブル５に記録する（ステップＳ３６）。この位置情報テーブル５は図１９を参照のこと。なお予め位置情報をマッピングした全体地図をハードディスク４５に記録しておきここにアクセスするようにしてもよいが、ネットワーク上に記録しておきネットワーク経由で参照するように設計することが出来る。
【００３２】
次に、図２０は第６の実施の形態の位置情報テーブル５０を表わす。上述した第５実施形態の位置情報テーブル５の患家名に更にマップコード５１を対応付けて記録して成る。なお図２０では、マップコード５１に対応する区分地図５２が模式的に描かれている。従って患家名を入力させることで患家名に対応する位置情報を位置情報テーブル５０から取得することが出来る。またこの位置に対応する区分地図５２をディスプレイ４２に表示して確認させることが出来る。なお、この際に表示縮尺が指定し得るようにしてもよい。
【００３３】
なおこの発明は上述した実施形態に限定されないから、例えば携帯電話にバーコードリーダを備えさせておき、患家名をバーコードで入力させ、これを受信して処理出来るようにすることも可能である。管理サーバに於いては予定が現場でキャンセルされたことことを受けて適切に処理したり、施術所でのマッサージ師のスケジュールの変更に対応し得るように設計することも好ましい。なお、上述した実施形態ではマッサージ師を例に取り上げたが、当該レセプト以外の分野にも適用し得ることは言うまでもない。
【００３４】
【発明の効果】
以上この発明は、位置情報を取得し、この位置情報を基にして地点間の距離を割り出し、この距離を基に所定の計算方法に従って料金を算出するものとした。また事前に位置情報を取得しこれに一意な名前を振って記憶しておき、前記名前を受信し、この名前を基にして地点間の距離を割り出し、この距離を基に所定の計算方法に従って料金を算出するものとした。また取得した位置情報に一意な名前を振った位置情報テーブルを作成した。この位置情報を利用して地点間の正確な距離を割り出すのである。
【００３５】
この結果、地点間の距離を精度良く求めると共に、この正確な距離に基づいて所定の計算方法に従って料金を算定することが可能と成り、算定の作業が極めて安楽なものと成るという効果を奏して、所期の目的を達成している。
【図面の簡単な説明】
【図１】第１実施形態の模式的なブロック図である。
【図２】管理サーバをパーソナルコンピュータを利用して実現した場合のブロック図である。
【図３】端末側となる携帯電話の表示画面である。
【図４】位置情報の取得手順を表わすフローチャートである。
【図５】レセプトの往療料の計算手順を表わすフローチャートである。
【図６】第２実施形態のブロック図である。
【図７】位置情報の取得手順を表わすフローチャートである。
【図８】患家名の取得手順を表わすフローチャートである。
【図９】レセプトの往療料の計算手順を表わすフローチャートである。
【図１０】第３実施形態のブロック図である。
【図１１】模式的なブロック図である。
【図１２】入力が面の送信手順を表わすフローチャートである。
【図１３】端末側となる携帯電話の表示画面である。
【図１４】セルの配置を表わす模式図である。
【図１５】第４実施形態に於ける端末側となる携帯電話の表示画面である。
【図１６】位置情報の取得手順を表わすフローチャートである。
【図１７】レセプトの往療料の計算時に於ける表示画面である。
【図１８】第５実施形態に於ける位置情報の取得手順を表わすフローチャートである。
【図１９】取得した位置情報を元に作成した位置情報テーブルの模式図である。
【図２０】第６実施形態の位置情報テーブルの模式図である。
【符号の説明】
１　　管理サーバ
１０　通信部
１１　処理部
１２　ＷＷＷサーバ部
１３　地図表示
２　　携帯電話
２０　ＧＰＳ
２１　通信部
２２　アンテナ
２３　表示画面
２４　時刻表示部
２５　位置情報表示部
２６　位置情報取得ボタン
２７　担当者名選択部
２８　患家名選択部
２９　送信ボタン
２００ブラウザ
２０１セル情報表示部
２０２電話通信ボタン
２０３地図表示部
３　　基地局
３０　アンテナ
３１　電話局
４　　ＣＰＵ
４０　モデム
４１　キーボード
４２　ディスプレイ
４３　ＣＤ−ＲＯＭドライブ
４４　ＣＤ−ＲＯＭ
４５　ハードディスク
４６　ＯＳ
４７　処理プログラム
４８　通信プログラム
４９　患家位置情報テーブル
４００ＷＷＷサーバプログラム
５　　位置情報テーブル
５０　位置情報テーブル
５１　マップコード
５２　区分地図
【図１】
2004005594.tif 000003
【図２】
2004005594.tif 000004
【図３】
2004005594.tif 000005
【図４】
2004005594.tif 000006
【図５】
2004005594.tif 000007
【図６】
2004005594.tif 000008
【図７】
2004005594.tif 000009
【図８】
2004005594.tif 000010
【図９】
2004005594.tif 000011
【図１０】
2004005594.tif 000012
【図１１】
2004005594.tif 000013
【図１２】
2004005594.tif 000014
【図１３】
2004005594.tif 000015
【図１４】
2004005594.tif 000016
【図１５】
2004005594.tif 000017
【図１６】
2004005594.tif 000018
【図１７】
2004005594.tif 000019
【図１８】
2004005594.tif 000020
【図１９】
2004005594.tif 000021
【図２０】
2004005594.tif 000022